(57)【要約】【課題】機器組込用のモジュールとしても外部接続用モジュールとしても適用可能なモジュールの構成を提供する。【解決手段】所定の論理回路を有する基板１０２と、内部コネクタと電源線１０４とを互いに接続させることが可能な組込用コネクタ１０６と、所定の通信規格に基づいて信号の送受信を行う外部装置の外部コネクタと第３信号線１０９とを互いに接続させることが可能な外部接続用コネクタ１１０と、電源線１０４と外部の電源とを互いに接続させることが可能な電源コネクタ１０５とを備え、組込用コネクタ１０６と外部接続用コネクタ１１０のうち何れか一方と外部装置とが接続され、外部接続用コネクタ１１０が外部装置と接続された場合にのみ電源コネクタ１０５が外部の電源に接続される。【選択図】図１
2008159017.tif 000002
【特許請求の範囲】
【請求項１】
所定の論理回路を有する基板と、
前記基板と外部装置との信号の送受信を行う第１信号線と、
前記基板に外部から電力を供給する電源線と、
前記基板に対して電力供給可能な外部装置の内部コネクタと前記第１信号線とを互いに接続させることが可能であると共に、前記内部コネクタと前記電源線とを互いに接続させることが可能な組込用コネクタと、
前記基板と外部装置との信号の送受信を行う第２信号線と、
前記第２信号線が送受信する信号を所定の通信規格に変換する変換器と、
前記変換器によって変換される信号の送受信を行う第３信号線と、
前記所定の通信規格に基づいて信号の送受信を行う外部装置の外部コネクタと前記第３信号線とを互いに接続させることが可能な外部接続用コネクタと、
前記電源線と外部の電源とを互いに接続させることが可能な電源コネクタと
を備え、
前記組込用コネクタと前記外部接続用コネクタのうち何れか一方と外部装置とが接続され、前記外部接続用コネクタが外部装置と接続された場合にのみ前記電源コネクタが前記外部の電源に接続される、モジュール。
【請求項２】
請求項１記載のモジュールであって、
前記変換器は、ＲＳ−２３２Ｃの通信規格に変換する、モジュール。
【請求項３】
請求項１又は請求項２記載のモジュールであって、
前記モジュールは、生体認証を行う、モジュール。
【請求項４】
請求項３記載のモジュールであって、
前記モジュールは、指紋認証を行う、モジュール。
【請求項５】
請求項１又は請求項２記載のモジュールであって、
前記モジュールは、ＩＣカードリーダである、モジュール。
【請求項６】
請求項１ないし請求項５の何れか記載のモジュールであって、
前記組込用コネクタは専用インタフェイスであり、
前記外部接続用コネクタは汎用インタフェイスである、モジュール。
【発明の詳細な説明】
【技術分野】
【０００１】
本発明は、機器内部に組み込むか又は機器に外部から接続することにより動作するモジュールに関する。
【背景技術】
【０００２】
近年、プライバシー保護の観点から、ＩＣカードリーダや指紋認証モジュール等が、コピー、ファクシミリ及びスキャナ等の機能を複合したＭＦＰ（Multi Function Peripherals；複合機）やＰＣ（Personal Computer）等の機器に組込まれたものが提案されている。また、同モジュール等を従来のＭＦＰやＰＣ等の機器にＲＳ−２３２Ｃケーブル等によって接続して使用することが可能な技術も提案されている。
【０００３】
図４は、モジュールを機器内部に組込むときの構成を示す図である。モジュールをＭＦＰやＰＣ等の機器内部に組込む場合には、モジュール側基板４０と機器側メイン基板４１とを信号線４２及び電源線４３を介して接続する。
【０００４】
図７は、モジュール５０とＰＣ５１とを接続する従来例を示す図である。モジュール５０をＰＣ５１に接続するには、一般的に次の２通りの方法がある。１つの方法は、モジュールとＰＣとをＵＳＢ（Universal Serial Bus）ケーブルを介して接続する方法である。他の方法は、図７に示す如く、モジュール５０とＰＣ５１とをＲＳ−２３２Ｃケーブル５２を介して接続し、さらにモジュール５０をＡＣ（Alternating Current）アダプタ５３を介して電力線、すなわち電源に接続する方法である。
【発明の開示】
【発明が解決しようとする課題】
【０００５】
上述のように、機器内部に組込む場合と、モジュールを機器外部から接続する、しかも電源線と信号線を区別して接続する場合とでは、電源供給手段を考慮してモジュールの構成が異なるため、それぞれの製造工程が独立している。そこで、本発明の課題は、モジュールを両者に適用可能な構成とする技術を提供することにある。
【課題を解決するための手段】
【０００６】
上記課題を解決すべく、第１の発明は、所定の論理回路を有する基板と、前記基板と外部装置との信号の送受信を行う第１信号線と、前記基板に外部から電力を供給する電源線と、前記基板に対して電力供給可能な外部装置の内部コネクタと前記第１信号線とを互いに接続させることが可能であると共に、前記内部コネクタと前記電源線とを互いに接続させることが可能な組込用コネクタと、前記基板と外部装置との信号の送受信を行う第２信号線と、前記第２信号線が送受信する信号を所定の通信規格に変換する変換器と、前記変換器によって変換される信号の送受信を行う第３信号線と、前記所定の通信規格に基づいて信号の送受信を行う外部装置の外部コネクタと前記第３信号線とを互いに接続させることが可能な外部接続用コネクタと、前記電源線と外部の電源とを互いに接続させることが可能な電源コネクタとを備え、前記組込用コネクタと前記外部接続用コネクタのうち何れか一方と外部装置とが接続され、前記外部接続用コネクタが外部装置と接続された場合にのみ前記電源コネクタが前記外部の電源に接続される、モジュールである。
【０００７】
第２の発明は、第１の発明であって、前記変換器は、ＲＳ−２３２Ｃの通信規格に変換する。
【０００８】
第３の発明は、第１又は第２の発明であって、前記モジュールは、生体認証を行う。
【０００９】
第４の発明は、第３の発明であって、前記モジュールは、指紋認証を行う。
【００１０】
第５の発明は、第１又は第２の発明であって、前記モジュールは、ＩＣカードリーダである。
【００１１】
第６の発明は、第１ないし第５の何れかの発明であって、前記組込用コネクタは専用インタフェイスであり、前記外部接続用コネクタは汎用インタフェイスである。
【発明の効果】
【００１２】
第１の発明によれば、電源線を備えて、さらに組込用コネクタと、外部接続用コネクタとを併設しているので、モジュールを外部装置に内蔵する場合と外付けする場合の両者に適用することが可能となる。
【００１３】
第２の発明によれば、変換器は、ＲＳ−２３２Ｃの通信規格に変換するので、機器組込用のモジュールをＰＣやモデム等の外部から接続することが可能となる。
【００１４】
第３の発明によれば、モジュールは生体認証を行うので、生体認証モジュールを簡単に組込又は接続することが可能となる。
【００１５】
第４の発明によれば、モジュールは指紋認証を行うので、指紋認証モジュールを簡単に組込又は接続することが可能となる。
【００１６】
第５の発明によれば、モジュールはＩＣカードリーダであるので、ＩＣカードリーダを簡単に組込又は接続することが可能となる。
【００１７】
第６の発明によれば、組込用コネクタとして専用インタフェイスを採用し、外部接続用コネクタとして汎用インタフェイスを採用するので、モジュールを外部装置に内蔵する場合と、外部装置に外付けする場合の両者に適用することが可能となる。
【発明を実施するための最良の形態】
【００１８】
＜第１実施形態＞
以下、本発明の第１実施形態に係るモジュール、特に指紋認証モジュールについて、図面に基づいて説明する。
【００１９】
＜指紋認証モジュールの回路構成＞
図１は、本発明の第１実施形態に係る指紋認証モジュール１００の回路構成例を示す図である。
【００２０】
指紋認証モジュール１００は、読取部１０１と、基板１０２と、第１信号線１０３と、電源線１０４と、電源コネクタ１０５と、組込用コネクタ１０６と、第２信号線１０７と、変換器１０８と、第３信号線１０９と、外部接続用コネクタ１１０とを備える。
【００２１】
読取部１０１は、ＣＣＤ（Charge Coupled Device；電荷結合素子）やＣＭＯＳ（Complementary Metal Oxide Semiconductor；相補型金属酸化膜半導体）等の撮像素子が適用されてユーザの指紋情報を光学的に読み取る。読み取られた指紋情報は電気信号に変換されて基板１０２に送出される。なお、読取部１０１は、必ずしも光学式である必要はなく、静電容量式であっても構わないのは勿論である。
【００２２】
基板１０２は、所定の論理回路であって、ＡＳＩＣ（Application Specific Integrated Circuit；特定用途向け集積回路）等が適用され、読取部１０１から送出される電気信号に基づいて指紋認証に関する処理を行う。
【００２３】
第１信号線１０３は、基板１０２と外部装置（図示省略）との信号の送受信を行うものであって、例えば、ＴｘＤ（Transmitted Data；シリアルデータ送信線）とＲｘＤ（Received Data；シリアルデータ受信線）とを有している。
【００２４】
電源線１０４は、基板１０２に外部から電力を供給するものであって、その端部には電源線１０４と外部の電源（図示省略）とを互いに接続させることが可能な電源コネクタ１０５が形成される。例えば、指紋認証モジュール１００を、コピー、ファクシミリ及びスキャナ等の機能を複合したＭＦＰ（Multi Function Peripherals；複合機）やＰＣ（Personal Computer）等の機器（何れも図示省略）内部に組込む場合には、電源コネクタ１０５は機器側の回路に接続されるような所定の形状に形成される。また、指紋認証モジュール１００を、ＭＦＰやＰＣ等の外部から接続する場合には、電源コネクタ１０５は外部の電源コンセントに接続させることが可能なプラグが形成される。ここで、外部の電源コンセントに接続される場合の電源コネクタ１０５は、例えば、電力線のコンセントに接続させることが可能なＡＣ（Alternating Current）アダプタ等である。
【００２５】
組込用コネクタ１０６は、基板１０２に対して電力供給可能な外部装置の内部コネクタ（図示省略）と第１信号線１０３とを互いに接続させることが可能であると共に、内部コネクタと電源線１０４とを互いに接続させることが可能な形状を有している。
【００２６】
第２信号線１０７は、基板１０２と外部装置との信号の送受信を行うものであって、例えば、第１信号線１０３と同様に、ＴｘＤとＲｘＤとを有している。
【００２７】
変換器１０８は、第２信号線１０７が送受信する信号を所定の通信規格に変換する。具体例を挙げれば、変換器１０８が変換する通信規格とは、ＲＳ−２３２Ｃ（Recommended Standard - 232C）である。
【００２８】
第３信号線１０９は、変換器１０８によって変換される信号の送受信を行うものであって、ＲＳ−２３２Ｃの通信規格のＴｘＤとＲｘＤとを有している。
【００２９】
外部接続用コネクタ１１０は、変換器１０８が変換する通信規格に基づいて信号の送受信を行う外部装置の外部コネクタ（図示省略）と第３信号線１０９とを互いに接続させることが可能な形状を有している。本実施形態においては、変換器１０８がＲＳ−２３２Ｃの通信規格に変換するので、外部接続用コネクタ１１０の端子は、該通信規格による通信が可能なコネクタが適用される。また、変換器１０８と外部接続用コネクタ１１０とはレギュレータ１１１を介して接続されている。
【００３０】
そして、組込用コネクタ１０６と外部接続用コネクタ１１０のうち何れか一方と外部装置とが接続され、外部接続用コネクタ１１０が外部装置と接続された場合にのみ電源コネクタ１０５が外部の電源に接続される。
【００３１】
＜指紋認証モジュール１００の接続＞
指紋認証モジュール１００は、以上のような構成を備えることにより、以下のように接続される。
【００３２】
＜内部に組込まれる場合＞
図２は、指紋認証モジュール１００が機器の内部に組込まれる場合の機器２０側の回路構成例を示す図である。この場合、指紋認証モジュール１００は、組込用コネクタ１０６によって機器２０の内部コネクタ２１に接続され、信号線２２を介して機器２０側のシリアルコントローラ２３等との通信を行う。また、電源コネクタ１０５が、機器２０側に設けられた電源（図示省略）に接続される。
【００３３】
＜外部から接続される場合＞
図３は、指紋認証モジュール１００が機器３０の外部から接続される場合の機器３０側の回路構成例を示す図である。この場合、指紋認証モジュール１００は、外部接続用コネクタ１１０によって機器３０側のＤｓｕｂコネクタ（外部コネクタ）３１に接続される。Ｄｓｕｂコネクタ３１は、ＲＳ−２３２Ｃケーブル３２を介してＤｓｕｂコネクタ３３に接続される。さらに、Ｄｓｕｂコネクタ３３は、２３２Ｃトランシーバ３４を介してシリアルコントローラ３５に接続される。これにより、指紋認証モジュール１００の基板１０２と機器３０側のシリアルコントローラ３５との間で通信を行う。また、電源コネクタ１０５が、ＡＣアダプタを有して電力線のコンセント（図示省略）に接続される。
【００３４】
以上のように、電源線１０４を備えて、さらに組込用コネクタ１０６と、外部接続用コネクタ１１０とを併設しているので、指紋認証モジュール１００を機器２０に内蔵する場合と機器３０に外付けする場合の両者に適用することが可能となる。
【００３５】
ここで、変換器１０８は、ＲＳ−２３２Ｃの通信規格に変換するので、機器組込用のモジュールをＰＣやモデム等の外部から接続することが可能となる。
【００３６】
さらに、モジュールは指紋認証を行うので、指紋認証モジュール１００を簡単に組込又は接続することが可能となる。
【００３７】
＜第２実施形態＞
上記第１実施形態では、指紋認証モジュール１００と機器２０とは、組込用コネクタ１０６と内部コネクタ２１とを接続した。また、指紋認証モジュール１００と機器３０とは、外部接続用コネクタ１１０とＤｓｕｂコネクタ３１とを接続した。しかしながら、本発明は、これに限定されるものではない。
【００３８】
図５は、本発明の第２実施形態に係る指紋認証モジュール６００が機器２０の内部に組込まれる場合の回路構成例を示す図である。指紋認証モジュール６００が機器２０に組込まれる場合には、上記第１実施形態の組込用コネクタ１０６として専用インタフェイス６０１が採用され、この専用インタフェイス６０１と内部コネクタ２１とが接続される。ここで、専用インタフェイス６０１と内部コネクタ２１との位置関係の自由度を確保するために、信号線６０２を介して両者を接続するようにしても良い。
【００３９】
図６は、指紋認証モジュール６００が機器３０の外部から接続される場合の回路構成例を示す図である。指紋認証モジュール６００が機器２０に外付けされる場合には、上記第１実施形態の外部接続用コネクタ１１０として汎用インタフェイス６０３が採用され、汎用インタフェイス６０３とＤｓｕｂコネクタ３１とが接続される。ここで、汎用インタフェイス６０３とＤｓｕｂコネクタ３１との位置関係の自由度を確保するために、例えば、ＲＳ−２３２Ｃケーブル６０４を介して接続されるようにしても良い。
【００４０】
このように、組込用コネクタとして専用インタフェイス６０１を採用し、外部接続用コネクタとして汎用インタフェイス６０３を採用するので、モジュール１０を機器２０に内蔵する場合と、機器３０に外付けする場合の両者に適用することが可能となる。
【００４１】
＜変形例＞
以上、本発明の実施形態について説明したが、本発明は上述した内容のものに限定されるものではない。
【００４２】
例えば、モジュールは指紋認証モジュール１００に限らず、生体認証を行うものであっても良い。これにより、生体認証モジュールを簡単に組込又は接続することが可能となる。また、モジュールはＩＣカードリーダであっても良い。これにより、ＩＣカードリーダを簡単に組込又は接続することが可能となる。なお、本発明に係るモジュールは、上述の処理を行うことが可能なハードウェア構成であっても良い。
【図面の簡単な説明】
【００４３】
【図１】本発明の第１実施形態に係る指紋認証モジュールの回路構成例を示す図である。
【図２】指紋認証モジュールが機器の内部に組込まれる場合の機器側の回路構成例を示す図である。
【図３】指紋認証モジュールが機器の外部から接続される場合の機器側の回路構成例を示す図である。
【図４】モジュールを機器内部に組込むときの構成を示す図である。
【図５】本発明の第２実施形態に係る指紋認証モジュールが機器の内部に組込まれる場合の回路構成例を示す図である。
【図６】指紋認証モジュールが機器の外部から接続される場合の回路構成例を示す図である。
【図７】モジュールとＰＣとを接続する従来例を示す図である。
【符号の説明】
【００４４】
１００，６００  指紋認証モジュール
１０２  基板
１０３  第１信号線
１０４  電源線
１０５  電源コネクタ
１０６  組込用コネクタ
１０７  第２信号線
１０８  変換器
１０９  第３信号線
１１０  外部接続用コネクタ
２１  内部コネクタ
３１  Ｄｓｕｂコネクタ（外部コネクタ）
６０１  専用インタフェイス
６０３  汎用インタフェイス
【図１】
2008159017.tif 000003
【図２】
2008159017.tif 000004
【図３】
2008159017.tif 000005
【図４】
2008159017.tif 000006
【図５】
2008159017.tif 000007
【図６】
2008159017.tif 000008
【図７】
2008159017.tif 000009